(57)【要約】【課題】  家電や住宅設備の展示会で使用することができ、また、設営作業を安全かつ迅速に行うことが可能で、しかも、構造的にも堅牢で安全性に優れた組立て式展示ブース及びその構築方法を提供すること。【解決手段】  室内の天井面Ｃと床面Ｆ、或いは壁面に固定された格子型フレーム１と；この格子型フレーム１の横枠材12に背面のフック部材21を掛止して固定されるバックパネル２と；前記格子型フレーム１の横枠材12に側縁のフック部材31を掛止して固定され、かつ、前記バックパネル２の両側に隣接して配置される左右のサイドパネル３・３と；前記バックパネル２とサイドパネル３・３上に載置されて連結部材Ｊ・Ｊ…により固定される天井パネル４とを含んで組立て式展示ブースを構成することにより、前記格子型フレーム１による支持および前記パネル群の面構造による安定したブース構造体を構築可能とした。【選択図】  図８
2011127338.tif 000002
【特許請求の範囲】
【請求項１】
室内の天井面Ｃと床面Ｆ、或いは壁面に固定された、所定の間隔で並立する縦枠材11・11…に対し所定の間隔で横枠材12・12…が架け渡されて成る格子型フレーム１と；この格子型フレーム１の横枠材12に背面のフック部材21を掛止して固定されるバックパネル２と；前記格子型フレーム１の横枠材12に側縁のフック部材31を掛止して固定され、かつ、前記バックパネル２の両側に隣接して配置される左右のサイドパネル３・３と；前記バックパネル２とサイドパネル３・３上に載置されて連結部材Ｊ・Ｊ…により固定される天井パネル４とを含んで構成され、
前記格子型フレーム１の支持および前記パネル群の面構造により安定したブース構造体が構築されることを特徴とする組立て式展示ブース。
【請求項２】
バックパネル２が複数のユニットパネル22・22…に分割して構成されていることを特徴とする請求項１記載の組立て式展示ブース。
【請求項３】
室内の天井面Ｃと床面Ｆ、或いは壁面に固定された、所定の間隔で並立する縦枠材11・11…に対して横枠材12・12…が所定の間隔で架け渡されて成る格子型フレーム１と；この格子型フレーム１の横枠材12に側縁のフック部材31を掛止して固定され、かつ、所定の間隔を空けて配置される左右のサイドパネル３・３と；これら左右のサイドパネル３・３の前方に配置されて接続部材Ｓ・Ｓ…により固定される下縁板61及び上縁板63を有するフロントパネル６とを含んで構成され、
前記格子型フレーム１の支持および前記パネル群の面構造により安定したブース構造体が構築されることを特徴とする組立て式展示ブース。
【請求項４】
床パネル81と支持脚82・82…とから成り、かつ、床パネル81がフロントパネル６の下縁板61の上面と床面レベルを合わせて配置された置き床ユニット８・８…を含んで構成されていることを特徴とする請求項３記載の組立て式展示ブース。
【請求項５】
格子型フレーム１の横枠材12に固定可能なフック部材71を側縁に備え、かつ、左右のサイドパネル３・３の間にこれらのパネルと並行して配置される間仕切パネル７を含んで構成されていることを特徴とする請求項３または４に記載の組立て式展示ブース。
【請求項６】
サイドパネル３・３が、側縁にフック部材31を備えた第一パネル材33と、この第一パネル材33の前方に並立して配置されて側縁の接続部材Ｓ・Ｓで固定される第二パネル材34とに分割して構成されていることを特徴とする請求項３〜５の何れか一つに記載の組立て式展示ブース。
【請求項７】
室内の天井面Ｃと床面Ｆに固定して設置された格子型フレーム１の横枠材12に対し、フック部材31・31を掛止して一方のサイドパネル３を固定する工程と；そのサイドパネル１の側方にバックパネル２を、格子型フレーム１にフック部材21を掛止して固定する工程と；そのバックパネル２の側方にもう一方のサイドパネル３・３を固定する工程と；これら格子型フレーム１に固定されたバックパネル２及びサイドパネル３・３上に天井パネル４を載置して連結部材Ｊ・Ｊ…で固定する工程とを含むことを特徴とする組立て式展示ブースの構築方法。
【請求項８】
室内の天井面Ｃと床面Ｆに固定して設置された格子型フレーム１の横枠材12に対し、フック部材31を掛止して一方のサイドパネル３を固定する工程と；そのサイドパネル３から所定の間隔を空けてもう一方のサイドパネル３を固定する工程と；それら左右のサイドパネル３・３の前方に、フロントパネル６の下縁板61及び上縁板63を配置して接続部材Ｓ・Ｓで固定する工程とを含むことを特徴とする組立て式展示ブースの構築方法。
【発明の詳細な説明】
【技術分野】
【０００１】
本発明は、展示ブース及びその構築方法の改良、詳しくは、家電や住宅設備の展示会で使用することができ、また、小売店舗のスペースを利用して簡単に設営を行うことが可能で、しかも、構造的にも堅牢で設営作業時の安全性にも優れた組立て式展示ブース及びその構築方法に関するものである。
【背景技術】
【０００２】
周知のとおり、展示会やショールームなどのイベントでは商品やメーカーごとに展示ブースを設置するのが一般的であるが、展示ブースの設営を、大工技能を有する専門のスタッフを雇って行うとかなりの経費を人件費に割かねばならないため、展示会等のコストが嵩み易かった。
【０００３】
そこで、従来、上記人件費を抑えるために素人でも簡単に組み立てが可能な展示ブースも開発されたが、その内の一つである床上に立てた支柱間にパネル材を取り付けて組み立てる展示ブース(特許文献１参照)では、支柱と床とを一体的に固定する訳ではないため、パネル材の取り付け中に支柱が倒れて作業者が怪我をする危険があった。
【０００４】
しかも、上記展示ブースは角隅に必ず支柱が配置される構造であったため、システムキッチンを備えた台所やバス洗面所を備えた浴室など、壁面に囲われた住宅の室内空間を忠実に再現することが難しく、家電や住宅設備の展示会での使用には向かなかった。
【０００５】
一方、住宅設備の展示会でも使用できる組立て式の展示ブースとしては、周縁部に凹溝を備えた床パネルを使用し、この床パネルの凹溝に側壁パネルを立設固定するもの(特許文献２参照)が知られているが、このような展示ブースでは、側壁パネルの荷重が床パネルの凹溝に集中するため、大きく重い側壁パネルを使用した場合に凹溝が破損して側壁パネルが倒れる危険があった。
【０００６】
また、上記床パネルを用いた展示ブースでは、ブース面積分の床パネルを会場内に搬入するのに時間がかかるだけでなく、側壁パネルを持って真下にある床パネルの凹溝の位置を確認しながら、側壁パネルの向きを調整して凹溝に嵌め込む作業に高い集中力が要求されたため、作業者の消耗によって作業効率が低下し易かった。
【先行技術文献】
【特許文献】
【０００７】
【特許文献１】特開２００３−８２７９７号公報（第２−１０頁、第１図）
【特許文献２】特開２０００−１６０８５４号公報（第２−７頁、第１−３図）
【発明の開示】
【発明が解決しようとする課題】
【０００８】
本発明は、上記の如き問題に鑑みて為されたものであり、その目的とするところは、家電や住宅設備の展示会で使用することができ、また、設営作業を安全かつ迅速に行うことが可能で、しかも、構造的にも堅牢で安全性に優れた組立て式展示ブース及びその構築方法を提供することにある。
【課題を解決するための手段】
【０００９】
本発明者が上記課題を解決するために採用した手段を添付図面を参照して説明すれば次のとおりである。
【００１０】
即ち、本発明は室内の天井面Ｃと床面Ｆ、或いは壁面に固定された、所定の間隔で並立する縦枠材11・11…に対し所定の間隔で横枠材12・12…が架け渡されて成る格子型フレーム１と；この格子型フレーム１の横枠材12に背面のフック部材21を掛止して固定されるバックパネル２と；前記格子型フレーム１の横枠材12に側縁のフック部材31を掛止して固定され、かつ、前記バックパネル２の両側に隣接して配置される左右のサイドパネル３・３と；前記バックパネル２とサイドパネル３・３上に載置されて連結部材Ｊ・Ｊ…により固定される天井パネル４とを含んで組立て式展示ブースを構成することにより、
前記格子型フレーム１による支持および前記パネル群の面構造による安定したブース構造体を構築可能とした点に特徴がある。
【００１１】
また、本発明は、上記構成から成る展示ブースを、室内の天井面Ｃと床面Ｆに固定して設置された格子型フレーム１の横枠材12に対し、フック部材31・31を掛止して一方のサイドパネル３を固定する工程と；そのサイドパネル１の側方にバックパネル２を、格子型フレーム１にフック部材21を掛止して固定する工程と；そのバックパネル２の側方にもう一方のサイドパネル３・３を固定する工程と；これら格子型フレーム１に固定されたバックパネル２及びサイドパネル３・３上に天井パネル４を載置して連結部材Ｊ・Ｊ…で固定する工程を通して構築することができる。
【００１２】
また更に、本発明は、必要に応じて上記手段に加え、バックパネル２を複数のユニットパネル22・22…に分割することにより作業性の向上、及び格子型フレームにかかる負荷の軽減を図るという技術的手段を採用することができる。
【００１３】
一方、本発明は、組立て式展示ブースを、室内の天井面Ｃと床面Ｆ、或いは壁面に固定された、所定の間隔で並立する縦枠材11・11…に対して横枠材12・12…が所定の間隔で架け渡されて成る格子型フレーム１と；この格子型フレーム１の横枠材12に側縁のフック部材31を掛止して固定され、かつ、所定の間隔を空けて配置される左右のサイドパネル３・３と；これら左右のサイドパネル３・３の前方に配置されて接続部材Ｓ・Ｓ…により固定される下縁板61及び上縁板63を有するフロントパネル６とを含んだ構成とすることもできる。
【００１４】
そして、本発明は、上記構成から成る展示ブースを、室内の天井面Ｃと床面Ｆに固定して設置された格子型フレーム１の横枠材12に対し、フック部材31を掛止して一方のサイドパネル３を固定する工程と；そのサイドパネル３から所定の間隔を空けてもう一方のサイドパネル３を固定する工程と；それら左右のサイドパネル３・３の前方に、フロントパネル６の下縁板61及び上縁板63を配置して接続部材Ｓ・Ｓで固定する工程を通して構築することができる。
【００１５】
また、本発明は、上記組立て式展示ブースにおいて、床パネル81と支持脚82・82…とから成り、かつ、床パネル81がフロントパネル６の下縁板61の上面と床面レベルを合わせて配置された置き床ユニット８・８…を、サイドパネル３・３及びフロントパネル６で囲われたスペース内に敷設して床面を形成するという技術的手段を採用することができる。
【００１６】
また更に、本発明は、必要に応じて上記手段に加え、格子型フレーム１の横枠材12に固定可能なフック部材71を側縁に備えた間仕切パネル７を、左右のサイドパネル３・３の間にこれらのパネルと平行して配置することによりブース空間を任意の場所で仕切るという技術的手段を採用することもできる。
【００１７】
そしてまた、本発明は、必要に応じて上記手段に加え、サイドパネル３・３を、側縁にフック部材31を備えた第一パネル材33と、この第一パネル材33の前方に並立して配置されて側縁の接続部材Ｓで固定される第二パネル材34とに分割して作業性の向上を図るという技術的手段を採用することができる。
【発明の効果】
【００１８】
本発明では、展示ブースを構成するバックパネルやサイドパネル等の側壁パネルにフック部材を取着して、これらの側壁パネルを、室内に設置された格子型フレームの横枠にフック部材を引っ掛けるだけで立設可能としたことにより、複雑な仕口や釘打ち等の大工作業に頼ることなくブースの組み立てが行えるため、専門技能を有しない素人であっても設営作業に携わることが可能となる。
【００１９】
しかも、小売店舗を展示会場に選択した場合には、格子型フレームに既設の陳列什器を利用することができるため、格子型フレームの設置作業を省略することができ、これによって陳列什器に側壁パネルを取り付け、その側壁パネルに天井パネルやフロントパネルを連結するだけで、素人でも簡単に展示ブースを構築することができる。
【００２０】
また更に、本発明に係る展示ブースでは、床パネルを必須のパーツとしていないため、搬入するパーツ数を減らすことができ、また格子型フレームへの側壁パネルの取り付けも非常に簡単で高度な集中力が要求されることはないことから、設営する展示ブースの数が多くてもパーツ搬入および組立て作業を迅速に短時間で終わらせることができる。
【００２１】
また、上記立設した側壁パネルを支持する格子型フレームは天井や床にしっかりと固定されているため、組み立て作業中に側壁パネルが倒れるような心配はなく、しかも、組み立て後の展示ブースは、格子型フレームによる支持に加えて、側壁パネルと天井パネル等の面構造により堅牢で安定した構造となるため、安全性は非常に高い。
【００２２】
一方、本発明に係る展示ブースは、用途面においても、見える位置に支柱等の部材を配置する必要がないため、壁面に囲われた住宅の室内空間を忠実に再現することができ、ＩＨコンロ付きシステムキッチン等、家電や住宅設備の展示会に問題なく使用できる。
【００２３】
したがって、本発明により、設営作業の容易化及び効率化を図ることができ、しかも、安全面および用途面において問題を生じない組立て式展示ブースを提供できることから、本発明の実用的利用価値は頗る高い。
【図面の簡単な説明】
【００２４】
【図１】本発明の実施例１における組立て式展示ブースを表わす全体正面図である。
【図２】本発明の実施例１における組立て式展示ブースを表わす全体側面図である。
【図３】本発明の実施例１における組立て式展示ブースを表わす分解斜視図である。
【図４】本発明の実施例１における天井パネルとバック(サイド)パネルとの連結構造を表わす説明断面図である。
【図５】本発明の実施例１におけるユニットパネル同士の上下の連結構造を表わす部分断面図である。
【図６】本発明の実施例１における接続部材及びそれを用いたパネル同士の接続構造を表わす拡大斜視図及び拡大断面図である。
【図７】本発明の実施例１における天井パネルを表わす全体斜視図及び部分断面図である。
【図８】本発明の実施例１における組立て式展示ブースの構築過程を表わす状態説明図である。
【図９】本発明の変形例における組立て式展示ブースを表わす全体正面図である。
【図１０】本発明の実施例２における組立て式展示ブースを表わした全体正面図である。
【図１１】本発明の実施例２における組立て式展示ブースを表わした全体上面図である。
【図１２】本発明の実施例２における組立て式展示ブースを裏側から見た状態を表わす全体斜視図である。
【図１３】本発明の実施例２における置き床ユニットを表わす全体斜視図である。
【図１４】本発明の実施例２におけるサイドパネルを表わす全体側面図である。
【図１５】本発明の実施例２におけるフロントパネルの各部材の接続構造を表わす分解説明図である。
【図１６】本発明の実施例２におけるフロントパネルの各部材の接続構造を表わす分解説明図である。
【図１７】本発明の実施例２におけるフロントパネルの各部材の接続構造を表わす拡大正面図である。
【図１８】本発明の実施例２における組立て式展示ブースの構築過程を表わす状態説明図である。
【図１９】本発明の実施例２における組立て式展示ブースの使用状態を表わす全体上面図である。
【図２０】本発明の変形例における組立て式展示ブースを表わす全体正面図である。
【発明を実施するための形態】
【００２５】
『実施例１』
まず、本発明の実施例１について、図１から図９に基いて説明する。同図において、符号１で指示するものは格子型フレームであり、符号２で指示するものはバックパネルである。また符号３で指示するものは、サイドパネルであり、符号４で指示するものは、天井パネルである。また、符号５で指示するものは看板部材である。
【００２６】
［展示ブースの構成］
この実施例１では、所定の間隔で並列する縦枠材11・11…を連結する上下の連結バー材を室内の天井面Ｃと床面Ｆに固定すると共に、これらの縦枠材11・11…に対して所定の間隔で横枠材12・12…を架け渡して格子型フレーム１を設けている（図１、図２参照）。
【００２７】
また、上記格子型フレーム１の横枠材12には、背面のフック部材21を掛止してバックパネル２を固定しており、そのバックパネル２の両側には、側縁のフック部材31を掛止してサイドパネル３・３を固定している（図３参照）。
【００２８】
そして、上記バックパネル２とサイドパネル３・３上には天井パネル４を載置して、天井パネル４と各パネルとを連結部材Ｊ・Ｊ…で固定しており、これによってパネル群の内側に所定広さのブース空間を形成している。また、上記天井パネル４上には、看板部材５を載置して連結部材Ｊ・Ｊで固定している。
【００２９】
なお実施例１では、上記バックパネル２を、矩形状の木製枠体に合板を張り付けて作製しており、またサイドパネル３ついては、内側に桟材が入った矩形状の木製枠体の両面に合板を張り付けて作製している。また天井パネル４についても同様に、桟材の入った矩形状の木製枠体に合板を張り付けて作製している。
【００３０】
また実施例１では、図４に示すように、上記連結部材Ｊに蝶ボルトＢ及び埋込ナットＮを使用し、この蝶ボルトＢを天井パネル４の挿通孔を通してバックパネル２及びサイドパネル３・３の上面側に設けた埋込ナットＮに取着することにより天板パネル４を固定している。また看板部材５も同様に、挿通孔51・51に蝶ボルトＢ・Ｂを挿通して天井パネル４の上面側に設けた埋込ナットに固定している。
【００３１】
また、上記バックパネル２については、複数のユニットパネル22・22…に分割して構成しており、これらを並べて配置することによって一体的な壁面を形成している。そしてこれにより、バックパネル２に一枚物のパネル材を使用するよりも格子型フレーム１の横枠材12にかかる負荷を大幅に軽減できる。
【００３２】
ちなみに、上記バックパネル２のユニットパネル22・22…は、下段パネルＵ・Ｕ…、中段パネルＭ・Ｍ及び上段パネルＴ・Ｔ…の三段から構成しているが、ユニットパネル22・22…の段数や数は重量やサイズを考慮して設計時に自由に変更できる。
【００３３】
また実施例１では、図５に示すように、バックパネル２における隣接するユニットパネル22・22同士の上下面に凹凸部22a・22a’を設けて、この凹凸部22a・22a’を嵌合させることでパネル同士を固定している。
【００３４】
しかも、バックパネル２の左右に隣接するユニットパネル22・22同士、及びユニットパネル22とサイドパネル３は接続部材Ｓ・Ｓにより固定しているため、地震等でユニットパネル22・22…が位置ズレしたりパネル間に隙間が生じたりする心配もない。
【００３５】
なお実施例１では、上記接続部材Ｓ・Ｓとして、図６(a)に示すような頭付きネジＰ及びそれを掛け合せて止着できる受け金具Ｑを使用している。また実施例１では、バックパネル２のユニットパネル22の合板を、頭付きネジＰの分だけ突き出した状態で枠体に固定しているため、ユニットパネル22・22同士、又はユニットパネル22とサイドパネル３を接続したとき、図６(b)に示すように合板の突出部位でパネル間の隙間を隠すことができる。
【００３６】
また、上記サイドパネル３については、一枚物のパネル材を使用しているが、高さ調整機能を有する脚部32・32を設けてこの脚部32・32を接地させているため、格子型フレーム１の横枠材12に大きな負荷がかかることはない。
【００３７】
そしてまた、上記天井パネル４に関しては、図７(a)に示すように枠体を左右に分割して蝶番42・42…で連結することにより折畳可能に構成しており、これによって収納や運搬が容易となる。なお、天井パネル４を使用するときには、図７(b)に示すように固定ボルト43・43で枠体同士を拡げた状態に固定する。
【００３８】
［展示ブースの構築方法］
次に、上記構成から成る展示ブースの構築方法について説明する。まず、格子型フレーム１については店舗内に既設の陳列什器を利用する。そして、図８(a)に示すようにこの格子型フレーム１の所定の位置に一方のサイドパネル３を固定する。
【００３９】
次に、図８(b)に示すように、上記サイドパネル３の側方にバックパネル２の下段パネルＵ・Ｕ…を取り付け、更にその上に中央に隙間を空けて中段パネルＭ・Ｍを配置する。この際、隣接するユニットパネル22・22同士の凹凸部22a・22aを嵌め合わせれば簡単に位置合わせを行うことができる。
【００４０】
そして、上記中段パネルＭ・Ｍ間の隙間には、図８(c)に示すように窓枠23を設置すると共に、更にその中段パネルＭ・Ｍと窓枠23上に上段パネルＴ・Ｔ…を配置してバックパネル２を形成する。
【００４１】
次いで、図８(d)に示すように、上記バックパネル２の側方にもう一方のサイドパネル３を固定した後、図８(e)に示すように、天井パネル４をこれらバックパネル２と左右のサイドパネル３・３上に載置して固定する。
【００４２】
そして、上記のように構築されたブース構造体の内側に壁紙を張って、図８(f)に示すようにシステムキッチンＫを配置すれば台所を模した住宅設備の展示ブースとして使用できる。またガスや水道の配管などもパネルに孔を設けて行うことができる。
【００４３】
また実施例１では、サイドパネル３を二つ並べて一つのブース空間を形成しているが、図９に示すようにサイドパネル３を三つ以上並べて二以上のブース空間を形成することももちろん可能である。
【００４４】
『実施例２』
次に、本発明の実施例２を図１０から図２０に基づいて説明する。まず図中において、符号６で指示するものは、フロントパネルであり、符号７で指示するものは、間仕切パネルである。また符号８で指示するものは、置き床ユニットである。
【００４５】
［展示ブースの構成］
この実施例２では、格子型フレーム１の横枠材12に左右のサイドパネル３・３を所定の間隔を空けて固定すると共に、その左右のサイドパネル３・３の前方に、下縁板61、両側の袖板62・62及び上縁板63とから成るフロントパネル６を固定して展示ブースを構成している(図１０、図１１参照)。また、上記サイドパネル３・３とフロントパネル６上には、看板部材５を載置してサイドパネル３・３に連結部材で固定している。
【００４６】
また、上記左右のサイドパネル３・３の間には、側縁にフック部材71を備えた間仕切パネル７をサイドパネル３と平行に配置して格子型フレーム１に固定し、更にこの間仕切パネル７とフロントパネル６との隙間には上下の連結板Ｒ・Ｒを取り付けて間仕切パネル７を前後でしっかりと固定している(図１２参照)。
【００４７】
そして、上記連結板Ｒ・Ｒを固定したフロントパネル６の下縁板61と上縁板63との間には仕切板64を設けており、この仕切板64によって展示ブースを正面から見た際、左右の空間が別々の部屋を表していることを明確に認識できるようにしている。
【００４８】
また実施例２では、一方のサイドパネル３と間仕切パネル７との間に分割式のバックパネル２・２を配置しており、また、これらのバックパネル２・２とサイドパネル３、間仕切パネル４、フロントパネル６に囲われたスペース内には、図１３に示すような床パネル81と支持脚82・82…とから成る置き床ユニット８・８…を敷設している。
【００４９】
なお、上記置き床ユニット８は、所定長さの支持脚82・82…を用いることにより床パネル81の高さを調節して、フロントパネル６の下縁板61や下側の連結板Ｒの上面と床面レベルが合うようにしている。
【００５０】
一方、上記サイドパネル３・３に関しては、図１４に示すように、片側の側縁にフック部材31を備え、反対側の側縁に接続部材Ｓ・Ｓを備えた第一パネル材33と、両側縁に接続部材Ｓ・Ｓを備えた第二パネル材34とから構成し、第一パネル材33の前方に第二パネル材34を並立して配置して接続部材Ｓ・Ｓで固定している。
【００５１】
また、図１５に示すように、フロントパネル６の下縁板61及び上縁板63とサイドパネル３の接続についても、上記と同様に接続部材Ｓ・Ｓを用いて行っており、また更に、フロントパネル６の下縁板61と上縁板63に対する袖板62の接続については、袖板62の小口面に突起部を設け、この突起部を下縁板61と上縁板63に設けた凹部に差込むホゾ差しによって両者を接合している。
【００５２】
そしてまた、図１６に示すように、フロントパネル６の下縁板61と上縁板63に対する仕切板64の接続、及び間仕切パネル７やフロントパネル６に対する連結板Ｒの接続に関しても、突起部と凹部の仕口によるホゾ差しにより行っている。他方、実施例２では、フロントパネル６の下縁板61及び上縁板63を左右に分割した構成としているが、これらの連結については、図１７に示すように接続部材Ｓ・Ｓにより行っている。
【００５３】
［展示ブースの構築方法］
次に、上記構成から成る展示ブースの構築方法について説明する。まず、図１８(a)に示すように、店舗内の陳列什器を利用した格子型フレーム１に対し、左右のサイドパネル３・３を所定の間隔を空けて固定する。具体的には、まずサイドパネル３の第一パネル材33を格子型フレーム１に固定し、その後、第二パネル材34を第一パネル材33の前方に配置して接続部材Ｓ・Ｓで固定する。
【００５４】
次いで、図１８(b)に示すように、一方のサイドパネル３の内側にバックパネル２・２を二つ並べて配置し、更にその内側に間仕切パネル７を配置して格子型フレーム１に固定する。その後、図１８(c)に示すように、サイドパネル３、バックパネル２・２および間仕切パネルで囲われるスペース内に置き床ユニット８・８…を敷設する。
【００５５】
そして、置き床ユニット８・８…が敷設し終わったら、図１８(d)に示すように、左右のサイドパネル３・３の前方に、フロントパネル６の下縁板61・61を配置して、間仕切パネル７を固定するための連結板Ｒを取り付けた状態でサイドパネル３・３に固定する。
【００５６】
その後、図１８(e)に示すように、フロントパネル６の下縁板61上に、両側の袖板62・62及び仕切板64を立てて固定し、置き床ユニット８を敷設していないスペース側の開口部に開口枠65を取り付ける。
【００５７】
そして最後に、図１８(f)に示すように、これらの袖板62・62及び仕切板64上に上縁板63を載置して、連結板Ｒを固定した状態でサイドパネル３・３に固定すると共に、これらのパネル上に看板部材５を固定して展示ブースを構築する。
【００５８】
そして、上記フロントパネル６を取り付ける前に、図１９に示すようにユニットバスＡを置き床ユニット８・８…を敷設していない側のスペースに設置すれば、浴室及び脱衣所を模した住宅設備の展示ブースとして使用することができる。
【００５９】
なお、実施例２においては、ブース空間を間仕切パネル７で仕切って部屋を二つ形成しているが、図２０に示すように内側に間仕切パネル７を配置せず、サイドパネル３・３とフロントパネル６と一部屋の展示ブースを構築することもできる。
【００６０】
本発明は、概ね上記のように構成されるが、本発明は図示の実施形態に限定されるものでは決してなく、「特許請求の範囲」の記載内において種々の変更が可能であって、例えば、格子型フレーム１には、天井面Ｃや床面Ｆでなく室内の壁面に固定されたものを使用してもよい。
【００６１】
また、バックパネル２やサイドパネル３、天井パネル４、フロントパネル６、間仕切パネル７のサイズや材料、構造等は作業性を損なわない程度の重量や安全性を確保できる程度の強度を有していれば自由に変更することが可能である。
【００６２】
そしてまた、パネル同士を連結するための連結部材Ｊや接続部材Ｓについても、できるだけ簡単に、かつ、しっかりと連結できる方法であれば他の部材や仕口等を採用することができ、何れのものも本発明の技術的範囲に属する。
【産業上の利用可能性】
【００６３】
近年、ガスを使用しないオール電化住宅の浸透により、家電等の小売業者が家電や住宅設備の展示会を行う機会が増えており、このような小売業者にとっては、その都度、専門のスタッフを雇って展示会を行うのはコスト面で都合が悪い。
【００６４】
そのような中で、本発明の組立て式展示ブース、及びその構築方法は、小売店舗に常設されている陳列什器を利用して展示ブースを素人でも簡単に組み立てることができる有用な技術であることから、その産業上の利用価値は非常に高い。
【符号の説明】
【００６５】
１  格子型フレーム
11  縦枠材
12  横枠材
２  バックパネル
21  フック部材
22  ユニットパネル
22a  凹凸部
23  窓枠
３  サイドパネル
31  フック部材
32  脚部
33  第一パネル材
34  第二パネル材
４  天井パネル
41  挿通孔
42  蝶番
43  固定ボルト
５  看板部材
51  挿通孔
６  フロントパネル
61  下縁板
62  袖板
63  上縁板
64  仕切板
65  開口枠
７  間仕切パネル
71  フック部材
８  置き床ユニット
81  床パネル
82  支持脚
Ｃ  天井面
Ｆ  床面
Ｕ  下段パネル
Ｍ  中段パネル
Ｔ  上段パネル
Ｊ  連結部材
Ｂ  蝶ボルト
Ｎ  埋込ナット
Ｓ  接続部材
Ｐ  頭付きネジ
Ｑ  受け金具
Ｒ  連結板
Ｋ  システムキッチン
Ａ  ユニットバス
【図１】
2011127338.tif 000003
【図２】
2011127338.tif 000004
【図３】
2011127338.tif 000005
【図４】
2011127338.tif 000006
【図５】
2011127338.tif 000007
【図６】
2011127338.tif 000008
【図７】
2011127338.tif 000009
【図８】
2011127338.tif 000010
【図９】
2011127338.tif 000011
【図１０】
2011127338.tif 000012
【図１１】
2011127338.tif 000013
【図１２】
2011127338.tif 000014
【図１３】
2011127338.tif 000015
【図１４】
2011127338.tif 000016
【図１５】
2011127338.tif 000017
【図１６】
2011127338.tif 000018
【図１７】
2011127338.tif 000019
【図１８】
2011127338.tif 000020
【図１９】
2011127338.tif 000021
【図２０】
2011127338.tif 000022